(57)【要約】【課題】  本発明は、茶葉を傷めることなく装置構造の簡易なものとし、製造コストの削減とメンテナンス個所の低減を図り得る案内ダクトを具える茶畝跨走型茶刈装置の開発を技術課題としたものである。【解決手段】  本発明の茶畝跨走型茶刈装置１は、走行機ユニット２と、茶刈機ユニット３と、収容ユニット４と、送風機２３とを具え、茶畝Ｔの全幅面を刈り取る装置において、この茶刈機ユニット３は、刈刃３１と、摘採された茶枝葉Ａを後方の案内ダクト５へ移送させるための開始端となる偏平筒状の開口案内部３５と、前記送風機２３から送られる移送風Ｗを前記刈刃３１の前方から案内ダクト５に向かって吹き出す送風管３２とを具え、且つ前記開口案内部は、少なくとも中央部に茶枝葉Ａの移送方向に沿う仕切り部材を存在させない構成としたことを特徴として成るものである。【選択図】図１
2005245212.tif 000002
【特許請求の範囲】
【請求項１】
門型のフレームの脚部に走行装置が設けられた走行機ユニットと、この走行機ユニットに昇降自在に搭載される茶刈機ユニットと、前記茶刈機ユニットにより摘採された茶枝葉を所定の位置に向けて風送するための送風機とを具え、前記走行機ユニットが茶畝を跨いだ状態で走行しながら、前記茶刈機ユニットによって茶畝の全幅にわたって茶枝葉を刈り取る装置において、この茶刈機ユニットは、刈刃と、摘採された茶枝葉を後方の案内ダクトへ移送させるための開始端となる偏平筒状の開口案内部と、前記送風機から送られる移送風を前記刈刃の前方から案内ダクトに向かって吹き出す送風管とを具え、且つ、前記開口案内部は、少なくとも中央部に茶枝葉の移送方向に沿う仕切り部材を存在させない構成としたことを特徴とする茶畝跨走型茶刈装置。
【請求項２】
前記開口案内部は、全面開口断面を有し、茶枝葉の移送方向に沿う仕切り部材を存在させない構成としたことを特徴とする請求項１記載の茶畝跨走型茶刈装置。
【請求項３】
前記開口案内部に続く案内ダクトにおける受入移送範囲も全面開口断面を有し茶枝葉の移送方向に沿うよう仕切部材を存在させない構成としたことを特徴とする請求項１または２記載の茶畝跨走型茶刈装置。
【請求項４】
前記案内ダクトにおける受入移送範囲の終端は、上昇移送範囲に接続されていることを特徴とする請求項１、２または３記載の茶畝跨走型茶刈装置。
【請求項５】
前記案内ダクトにおける上昇移送範囲は、二以上の経路に分割されていることを特徴とする請求項１、２、３または４記載の茶畝跨走型茶刈装置。
【請求項６】
前記受入移送範囲の後方は、茶枝葉の収容するための収容ユニットを前記案内部に沿わせて配置させることを特徴とする請求項１、２または３記載の茶畝跨走型茶刈装置。
【発明の詳細な説明】
【技術分野】
【０００１】
本発明は茶畝を跨ぎながら茶枝葉の刈り取りを好適に行うための茶畝跨走型茶刈装置に関するものであって、特に茶枝葉の移送をより円滑に行うための案内機構を改良に係るものである。
【背景技術】
【０００２】
従来から茶園管理や茶枝葉Ａの刈り取り作業の負担を軽減させるために、種々の茶畝跨走型茶刈装置１０１が実用化されている。
当初の茶畝跨走型茶刈装置１０１は、レール走行式のものにあっては、可搬式の茶刈機をほぼ流用する前提で実用化したために、茶畝Ｔに対してはその半面幅の刈取能力となっており必然的に一つの茶畝Ｔに対して往復刈りの刈取行程を必要としていた。
【０００３】
このため、より作業効率を向上させる目的で図６（ａ）に示すような茶畝Ｔ全幅にわたって一挙に刈り取るいわゆる全面刈りタイプが開発された。このものは、往復駆動部１３１ａにより往復運動する刈刃１３１こそ全幅にわたって作用する一体刃を採用されたが、茶枝葉Ａを移送させるための補機とでもいうべき送風機１２３等は可搬式茶刈機の送風機１２３を流用したものであり、結果的に同一仕様の２基の送風機１２３を中央部で連結する形態を採っていた（特許文献１図１、図４参照）。
【０００４】
このため、この中央部の連結部には、連結状態を確実にするための支持部材１００を刈刃１３１の支持部材である刈刃支持フレーム１３０ｃと、その上方の水平に設けた機枠部１３０の上部フレーム１３０ａとの間とをほぼ垂直に結ぶようにして設けていた。このような支持部材１００は必然的に刈刃１３１の直後に配置されることとなり、この結果刈り取られた茶枝葉Ａが送風管１３２の分岐ノズル１３２ａから送り出される強力な移送風Ｗの風圧により、この支持部材１００の前端部に張り付いてしまい、円滑な茶枝葉Ａの移送を阻害することと共に、図６（ｃ）に示すように摘採された茶枝葉Ａなどはその支持部材１００に衝突することより茶枝葉Ａを損傷させ品質低下の原因にもなっていた。なお、図中の茶枝葉ａ′は、移送中の衝突等により損傷した茶枝葉Ａを示している。
この対策として、従来から図６（ｂ）に示すように、この支持部材１００の前方に茶枝葉Ａを左右に案内することができる払い板１００ａを設ける構成が採られていた。すなわち、茶刈機ユニット１０３は、モータ等を動力としたクランク機構等を用いた払い板駆動部１００ｂをこの茶刈機ユニット１０３の上部フレーム１３０ａ上方に設け、このものによって払い板１００ａを、移送方向に沿った回転軸を中心に垂れ下がった状態で左右に振れ動くように駆動し、前記茶枝葉Ａの案内作用を行わせていた。
ところで、この機構を用いることにより、茶枝葉Ａが支持部材１００に張り付き引っ掛かることは大部分防ぐことができたことから、その後はこの種の構造はいわば全面刈りの茶畝跨走型茶刈装置１０１では必然的な構成として認識され、それ以上の改良工夫の対象とはされず採用されつづけてきた（特許文献２図１参照）。
【０００５】
一方、摘採後の茶葉の取り扱いの面からみると、従来から人が持ち運ぶことの利便性を考慮し、おおよそ２０ｋｇから３０ｋｇ程度を限界として茶葉を収容できる収容袋Ｓが用いられていた。そして摘採手法が可搬式茶刈機から茶畝跨走型茶刈装置１０１に変わったとしても、装置タイプによっては、そのままこのサイズの収容袋Ｓが利用されている。
このため、茶畝跨走型であって、且つ全幅面刈りを行うタイプであって、収容袋Ｓを適用するものであっては、装置の後方に収容ユニット１０４として前記サイズの茶枝葉Ａの収容袋Ｓを２袋併設して、ここに茶枝葉Ａを収容する手法がとられる場合がある。
この収容手法を採る場合には、これを確実にするために、摘採直後の茶枝葉Ａは案内ダクト１０５内で茶畝幅方向を中央部で２分割するように仕分けられるように案内され、その後段の収容ユニット１０４に移送されている（特許文献３図１、図２参照）。
このような茶枝葉Ａの移送形態の場合に必然的に設けられる仕切板１００ｃは、前記中央部の支持部材１００から延びるように設けられていた。
このように、従来全幅面刈りの場合には、刈刃１３１後方の偏平角筒状の案内ダクト１０５は、その中央で仕切られるということが茶枝葉Ａの案内作用上でも必然であるとの先入観が支配し、これに代わる設計は何ら試みられていない。
【特許文献１】特開平１０−１４３５６号公報  （図１、図４）
【特許文献２】特開２００１−２８６２１５公報（図１）
【特許文献３】特開平１１−１９６６５４号公報（図１、図２）
【発明の開示】
【発明が解決しようとする課題】
【０００６】
本発明は、このような背景を認識してなされたものであって、茶枝葉の移送に関与する部位の構成において、このような現状を追認するともいうべき設計常識にとらわれることなく更なる改良の途を探り、茶葉を傷めることなく装置構造を簡易なものとし、製造コストの削減とメンテナンス個所の低減を図り得る茶畝跨走型茶刈装置の開発を技術課題としたものである。
【課題を解決するための手段】
【０００７】
すなわち請求項１記載の茶畝跨走型茶刈装置は、門型のフレームの脚部に走行装置が設けられた走行機ユニットと、この走行機ユニットに昇降自在に搭載される茶刈機ユニットと、前記茶刈機ユニットにより摘採された茶枝葉を所定の位置に向けて風送するための送風機とを具え、前記走行機ユニットが茶畝を跨いだ状態で走行しながら、前記茶刈機ユニットによって茶畝の全幅にわたって茶枝葉を刈り取る装置において、この茶刈機ユニットは、刈刃と、摘採された茶枝葉を後方の案内ダクトへ移送させるための開始端となる偏平筒状の開口案内部と、前記送風機から送られる移送風を前記刈刃の前方から案内ダクトに向かって吹き出す送風管とを具え、且つ、前記開口案内部は、少なくとも中央部に茶枝葉の移送方向に沿う仕切り部材を存在させない構成としたことを特徴として成るものである。
【０００８】
また請求項２記載の茶畝跨走型茶刈装置は、前記要件に加え、前記開口案内部については、全面開口断面を有し、茶枝葉の移送方向に沿う仕切り部材を存在させない構成としたことを特徴として成るものである。
【０００９】
また請求項３記載の茶畝跨走型茶刈装置は、前記要件に加え、前記開口案内部に続く案内ダクトにおける受入移送範囲についても、全面開口断面を有し茶枝葉の移送方向に沿うよう仕切部材を存在させない構成としたことを特徴として成るものである。
【００１０】
また請求項４記載の茶畝跨走型茶刈装置は、前記要件に加え、前記案内ダクトにおける受入移送範囲の終端については、上昇移送範囲に接続されていることを特徴として成るものである。
【００１１】
また請求項５記載の茶畝跨走型茶刈装置は、前記要件に加え、前記案内ダクトにおける上昇移送範囲については、二以上の経路に分割されていることを特徴として成るものである。
【００１２】
また請求項６記載の茶畝跨走型茶刈装置は、前記請求項１、２または３記載の要件に加え、前記受入移送範囲の後方には、茶枝葉の収容するための収容ユニットを前記案内部に沿わせて配置させることことを特徴として成るものである。
【発明の効果】
【００１３】
まず請求項１記載の発明によれば、開口案内部の中央部に仕切り部材が存在しないために、摘採した茶枝葉が仕切部材等に衝突することなく、更に剪枝した比較的長い茶枝葉であっても円滑に後方に移送させることができる。
【００１４】
また請求項２記載の発明によれば、開口案内部が全面開口断面であるために、摘採した茶枝葉が仕切部材等に衝突することなく、更に剪枝した比較的長い茶枝葉であっても円滑に後方に移送させることができる。
【００１５】
また請求項３記載の発明によれば、茶枝葉を刈刃近傍から損傷させることなく、案内ダクトの受入移送範囲に茶枝葉が滞留することもなく円滑に移送することができる。
【００１６】
また請求項４記載の発明によれば、茶枝葉を茶刈機ユニットより上方に設けられた収容ユニットに対して刈り取った茶枝葉を連続して移送することができる。
【００１７】
また請求項５記載の発明によれば、複数の茶枝葉の吐出口を設けることができ、茶枝葉の収容状態を均一にすることができ、また茶畝跨走型茶刈装置の操縦者が、装置後方を目視しやすいような案内ダクトのレイアウトを適用することも可能となる。
【００１８】
また請求項６記載の発明によれば、刈り取った茶枝葉を茶刈機ユニット後方のほぼ同じ高さに具えられた収容ユニットに損傷させることなく円滑に移送することができる。
【発明を実施するための最良の形態】
【００１９】
本発明の最適な実施例は、以下の具体的な実施例の説明並びに図面に開示されるものである。
【実施例】
【００２０】
以下本発明の茶畝跨走型茶刈装置１を図示の実施例に基づいて説明する。なお茶畝跨走型茶刈装置１としては、以下いわゆる乗用型のものについて説明するが、非乗用式いわゆるレール式の茶畝跨走型茶刈装置であってもよい。
茶畝跨走型茶刈装置１は、一例として図１に示すように、茶畝Ｔを跨ぐように走行する走行機ユニット２と、この走行機ユニット２によって支持される茶刈機ユニット３と、この茶刈機ユニット３の後方に設けられ摘採した茶枝葉Ａを収容するコンテナ型の収容ユニット４と、茶刈機ユニット３から収容ユニット４まで茶枝葉Ａを移送する案内ダクト５とを具えて成り、茶刈機ユニット３を適宜取り替えることによって摘採作業または剪枝作業が選択的に行えるようにしたものである。
【００２１】
従って、本明細書に記載する茶刈機ユニット３とは、茶枝葉Ａの摘採を行う摘採機ユニットと、樹形を整え樹勢の回復を図るため枝幹を剪除する剪枝機ユニットとを総称するものである。また本明細書中に記載する茶枝葉Ａとは、摘採茶葉と剪除枝幹を総称するものである。これらに求められる移送条件（例えば茶枝葉Ａへ与えるのダメージの許容範囲など）は実質的に異なるため、両者を特に区別する必要がある場合には、摘採茶葉Ａ′と称して区別する。
以下各構成部について説明する。
【００２２】
まず走行機ユニット２について概略を説明する。この走行機ユニット２は、茶畝Ｔを跨いで走行できるようにするために走行方向から見てほぼ門形を成すフレーム２０を機枠部材とする。このフレーム２０は畝間スペース上に立ち上がるように位置する左右の脚部フレーム２０Ａと、その脚部フレーム２０Ａの上端を水平に結ぶような上部フレーム２０Ｂと、更に脚部フレーム２０Ａに対し昇降自在に取り付けられる昇降フレーム２０Ｃとを具えて成る。そして前記脚部フレーム２０Ａの下端には一例としてクローラを適用した走行装置２１を設ける。もちろんこの走行装置２１は、このようなクローラに限らず、畝間スペースの畑地を過剰に押し付けないような空気タイヤ、あるいは双方を適用した形態（例えば前側に空気タイヤ、後側にクローラを適用した形態）等が適宜採り得る。
【００２３】
更に前記上部フレーム２０Ｂの上部には作業者が座る操縦席２５や、この操縦のためのコントロールボックス２６を設けるものである。そして操縦席２５の側傍には、例えばディーゼルエンジン等を適用した原動機２２を搭載するものであり、一例としてこの原動機２２により図示を省略する油圧ポンプを駆動し、この油圧ポンプにより供給される作動油により前記走行装置２１の駆動や茶刈機ユニット３における刈刃３１の駆動、更には前記昇降フレーム２０Ｃの昇降シフトのためのシリンダ（図示略）の駆動を行う。更に茶刈機ユニット３によって刈った茶枝葉Ａを風送するための送風機２３を前記上部フレーム２０Ｂ上に設けるものであって、このものは直接原動機２２の回転により駆動されるものである。そして送風機２３からは送風ダクト２４を介して圧力風が茶刈機ユニット３側に供給される。
なお送風ダクト２４は、後述する茶刈機ユニット３が茶畝Ｔに応じて適宜の高さに設定されることから、その位置の変化に対応できるようにすべく、一部がフレキシブルダクトや入れ子状のダクトによって構成される。
【００２４】
次に茶刈機ユニット３について説明する。
このものは茶葉の摘採や枝幹の剪除を実質的に行うものであり、上述したように摘採機ユニットまたは剪枝機ユニットが適用される。そしてこの茶刈機ユニット３は、機枠部３０と刈刃３１と送風管３２とを主要部材として構成される。
前記機枠部３０について詳細に説明すると、この機枠部３０の枠部材は、一例として前後に平行したアルミパイプ等の軽量な部材を適宜適用した上部フレーム３０ａと、その両端部分にそれぞれ設けられる側板３０ｂと、これらの側板３０ｂの下端に接続される刈刃支持フレーム３０ｃとにより構成される。そして機枠部３０における前記刈刃支持フレーム３０ｃには後方に伸びる案内板３３を取り付けて、一方これに対向して前記上部フレーム３０ａには、例えば透明なアクリル板を適用した上面板３４を張設しているものであって、これらにより機枠部３０は、正面視でいくぶんか側下がり状に湾曲した偏平矩形状の開口案内部３５を有するダクト状の部材として構成されるものである。
【００２５】
この開口案内部３５は、従来設けられていた図６に示すような中央部の支持部材１００等の仕切り部材を具えず茶畝Ｔの幅とほぼ同じ全面開口断面を形成している。
もちろん従来この支持部材１００に伴う茶枝葉Ａの停滞を防ぐために採用されていた払い板１００ａや、これを駆動させる払い板駆動部１００ｂの機構についても同様に具えていない。
なお案内板３３は、後述する刈刃３１の後方に位置する部材であり、例えばアルミニウム等の金属板や樹脂製の板をアーチ側に湾曲させたものである。
この案内板３３の表面は、移送抵抗を軽減するために移送方向に沿った筋状の凹凸部が設けるものや、表面処理がされているものが好ましい。
【００２６】
次にこのような枠部材である機枠部３０に保持される諸部材について説明する。
まず前記機枠部３０とともに茶刈機ユニット３を構成する刈刃３１について説明する。
この刈刃３１は、上下一対の刈刃体と、これら刈刃体を摺動自在に支持する刈刃支持フレーム３０ｃと、刈刃体の往復運動を行わせるための往復駆動部３１ａとを具え、前記上下一対の刈刃体が交互に往復動することで、各刈刃体に形成した歯のバリカン作用により茶枝葉Ａの摘採を行うものである。
もちろんここに適用する刈刃体は、このようなバリカン式のものだけでなく、例えばロータリー式の回転刃であっても差し支えない。
なおこの刈刃３１の駆動にあたっても、前述したように走行機ユニット２に搭載された原動機２２によって駆動される油圧を受けて油圧モータにより刈刃３１を駆動することが望ましい実施例であるが、刈刃３１の駆動は別途エンジンによっても、もちろん差し支えない。
【００２７】
次に前記送風管３２は、上述した案内板３３の前方斜め上方に前記上部フレーム３０ａのほぼ全幅にわたって横臥状態に設けられるものであって、このものは案内板３３上に指向するように分岐形成された多数本の分岐ノズル３２ａを有するものである。
茶刈作業時には、この送風管３２の分岐ノズル３２ａから前述した送風機２３によって生起された移送風Ｗが供給されて、茶枝葉Ａを後述する後方の案内ダクト５に移送するのである。
【００２８】
以上のように構成される茶刈機ユニット３は、前記昇降フレーム２０Ｃに対し取り付けられることによって昇降動され、摘採及び剪枝の刈取作用高さが調整される。
【００２９】
次に収容ユニット４について説明すると、このものは摘採作業時に収穫された摘採茶葉Ａ′を収容するユニットであり、図１、２に示す本実施例においては上方が開口されたコンテナ４１を主要部材として構成されるものである。そして、茶刈機ユニット３と収容ユニット４との間には、案内ダクト５が設けられ、このものにより茶枝葉Ａが案内されて茶刈機ユニット３から収容ユニット４まで案内されて移送される。
【００３０】
この案内ダクト５は、一例として図２に示すように前記茶刈機ユニット３の開口案内部３５から接続され、少なくとも茶枝葉Ａを水平ないしはやや上方に向けて移送する受入移送範囲５０Ａを具えたものであって、更に本実施例のようなコンテナ式の収容ユニット４を茶刈機ユニット３の後方上部に具えている場合には、この受入移送範囲５０Ａの後方に、収容ユニット４までをつなぐ上昇移送範囲５０Ｂを有するものである。
本実施例の案内ダクト５は、その受入移送範囲５０Ａの部材とその後方の上昇移送範囲５０Ｂの部材とを一体形成されているが、これらの部材を２分割できる構成とするなど、製造上のよう要求等を勘案して適宜の分割構成としてもよい。
なお、詳細は後述するが、茶刈機ユニット３の後方側に収容ユニット４を設ける場合には、この案内ダクト５は実質的には水平に配される受入移送範囲５０Ａのみで形成されているものである。
【００３１】
以下、この受入移送範囲５０Ａと上昇移送範囲５０Ｂとを説明していく。
まず、受入移送範囲５０Ａは、茶刈機ユニット３の案内板３３の直ぐ後方に伸びた底板５１を下面部材とし、更に側板５２と上面板５３とを連接することにより底板５１を取り囲むようにトンネル状のダクトによって区切られた空間である。
なお使用者が茶刈機ユニット３の固定位置等の調整作業を行いやすくするのために、この側板５２の一部を開口させ、取り外し自在の蓋部材を取り付けた保守用ハッチ５４を具えている。もちろんこの保守用ハッチ５４の蓋部材は、案内ダクト５の内部の状態を目視できるように、透明アクリル板等を用いることも差し支えない。なお、この案内ダクト５の前方側の開口部を受入口５５とする。
この案内ダクト５の受入移送範囲５０Ａは、受入口５５から上昇移送範囲５０Ｂにいたるまでの間において、少なくともその中央部には、その移送方向に沿った仕切部材（例えば支持部材１００）等が存在しない。また中央部以外の部位にも仕切り部材が存在しない本実施例の場合、案内ダクト５の受入移送範囲５０Ａは、偏平筒状のほぼ単一の空間として形成される。また、この案内ダクト５を構成する底板５１や側板５２や上面板５３は、軽量且つ充分な強度をもつ合成樹脂や、アルミニウムや、ステンレス鋼板の金属等の材質を適用することが好ましく、これら部材の受入移送範囲５０Ａ側の内面には、移送途中の茶枝葉Ａの張り付き防止あるいは移送抵抗の軽減を図るために金属材料の場合には、メッキあるいはトリテトラフッ化エチレン（商品名テフロン：デュポン社の登録商標）のコーティング等の処理が施されることが好ましい。
【００３２】
次に案内ダクト５の上昇移送範囲５０Ｂについて説明する。
この上昇移送範囲５０Ｂは、受入移送範囲５０Ａの後方に設けられた周側板５７により構成される筒状部材によって区画される範囲をいい、案内ダクト５の受入移送範囲５０Ａを移送された茶枝葉Ａを後方上部に具えられた収容ユニット４のコンテナ４１に向けて上昇案内させるためのものである。
このものは、図２、図３（ａ）に示すように移送経路が分岐しており、開始部の直後に移送経路が正面視でほぼ「Ｖ」の字状に上方に向かって左右に分かれており、この経路の分岐点には、分岐部５８があり、開始部から移送方向奥方のところに設けられているが、分岐部５８を開始部分に設けて開始部をほぼ二つに分割するような形態であってもよい。
更に、移送風Ｗの流速を高めて茶枝葉Ａを素早く上方まで送るために、上昇移送範囲５０Ｂのダクト形状は、図２、図３に示すような移送終端部に近づくにつれて徐々に先細りになっていく形状にすることも好ましい。
また、このように案内ダクト５の上昇移送範囲５０Ｂは、特に摘採茶葉Ａ′を移送する際に、摘採茶葉Ａ′を損傷させないような形状にすることが好ましく、例えば案内ダクト５の受入移送範囲５０Ａと上昇移送範囲５０Ｂとの屈曲部を滑らかに曲げるような構成にすることが好ましい。
なお案内ダクト５の上昇移送範囲５０Ｂの移送作用を補助ないしは強化したい場合には、案内ダクト５の上昇移送範囲５０Ｂの吐き出し上端部あるいは受け入れ下端部に、補助送風機を設けることが可能である。
もちろんこの上昇移送範囲５０Ｂは、図３（ｂ）に示すように分岐しないものであっても差し支えない。
【００３３】
本発明にかかる茶畝跨走型茶刈装置１は、以上のような基本構造を有するものであり、以下、このものに設けられた案内ダクト５の作動態様、すなわち刈り取られた茶枝葉Ａが刈刃３１から収容ユニット４までの移送態様について説明する。
【００３４】
（１）刈刃３１から案内ダクト５の受入口５５への移送状態
茶枝葉Ａの摘採作業を行う場合には、茶畝Ｔを跨ぐように茶畝跨走型茶刈装置１が走行し、茶刈機ユニット３が茶畝Ｔ表面の茶枝葉Ａに接触しながら摘採が行われる。
この時摘採された茶枝葉Ａは、刈刃３１前方上部の送風管３２の分岐ノズル３２ａから送られた高圧の移送風Ｗによって、吹き飛ばされるように案内板３３の上を通り、後方の案内ダクト５に送り込まれる。
この際に、従来の図６（ａ）に示すような開口案内部３５を仕切るような支持部材１００等が存在しないために、茶枝葉Ａが仕切り部材の端部に滞留することもなく、また接触することなく茶枝葉Ａの状態を損ねることなく移送することができる。
また、茶枝葉Ａに水滴がついている状態であっても、案内板３３の表面に施された摩擦低減のための処理と、分岐ノズル３２ａの近傍の高速な移送風Ｗとにより、その表面に茶枝葉Ａが張り付いたりすることなく後方に確実に移送させることができる。
【００３５】
（２）案内ダクト５の内部の移送状態
まず移送風Ｗは、従来のような仕切り部材が存在しないためこれらに起因して生じる渦・乱流などがなく、高速であり整流を維持した状態で開口案内部３５に送り込まれる。
このような移送風Ｗにより茶枝葉Ａは、茶枝葉Ａの不要な衝突を回避することができ、効率的に充分な初速度を得ることができる。
また、特に茶枝葉Ａが摘採茶葉Ａ′ある場合には、刈刃３１直後に高速な状態で摘採茶葉Ａ′が、従来の払い板１００ａ等に衝突することがなく、摘採茶葉Ａ′の損傷を減少させることができ摘採茶葉Ａ′の品質を均一に維持することができる。
更にまた、特に摘採茶葉Ａ′が長芽と呼ばれる茶葉や剪枝の場合であっても、従来のような払い板１００ａや支持部材１００を有していないことから、これらが払い板１００ａ等の端部に引っ掛かり開口案内部３５に滞留し移送作用阻害して茶刈作用を低下させることがなく、これらの茶枝葉Ａであっても円滑に後方に移送し、充分な茶刈作用を確保することができる。
【００３６】
（３）分割行程と上昇移送時の茶枝葉Ａの状態（案内ダクト５の上昇移送範囲５０Ｂから収容ユニット４までの移送状態）
受入移送範囲５０Ａを通過した茶枝葉Ａは、この受入移送範囲５０Ａの後方に連結された上昇移送範囲５０Ｂに送り込まれる。
本実施例の上昇移送範囲５０Ｂは、一例として開始部近傍に分岐部５８を設け、茶畝方向に対して左右に移送範囲を分けるような形状をとっている。
これにより茶枝葉Ａは、左右それぞれの上昇移送範囲５０Ｂに振り分けられることとなる。
この付近では、茶枝葉Ａの移送速度は刈刃３１の直後に比べて減少しており、茶枝葉Ａが分岐部５８に衝突した場合であっても、その衝撃は従来の図６（ｃ）のときと比べ小さくなっており、茶枝葉Ａの破損の程度は軽減される。
更に左右の上昇移送範囲５０Ｂにわかれた茶枝葉Ａは、案内ダクト５の上昇移送範囲５０Ｂが上方部に行くにつれて先細り形状になっている場合には移送風Ｗの流速が増加されて一気に収容ユニット４のガイド体４２にまで送り込まれる。このガイド体４２により、移送風Ｗと茶枝葉Ａが分離され、移送風Ｗは収容ユニット４の通気部分から放出され、一方の茶枝葉Ａはコンテナ４１、もしくはコンテナ４１内にあらかじめ備え付けられた収容袋Ｓの内部に収容される。
もちろん、茶枝葉Ａの上昇移送を補助するための補助送風機が設けられている場合には、案内ダクト５の上昇移送範囲５０Ｂの開始部近傍等にその吐出部を設けて茶枝葉Ａの上昇移送作用を補うことも差し支えない。
【００３７】
〔他の実施例〕
本発明は以上述べた実施例を一つの基本的な技術思想とするものであるが、更に次のような実施例も採り得る。
すなわち先の図１〜４に示した案内ダクト５は、主に茶刈機ユニット３の後方上部に設けたコンテナ４１を具えた収容ユニット４を考慮して、上昇移送範囲５０Ｂを具えた案内ダクト５を用いていたが、図５に示すように茶刈機ユニット３の案内板３３をほぼ延長した後方に収容袋Ｓを配置する実施例も考慮し得る。すなわち、収容袋Ｓを茶畝Ｔの上面畝方向に沿うように寝かすようにして収容ユニット４を構成配置した茶畝跨走型茶刈装置１の場合には、この案内ダクト５は、茶枝葉Ａを上昇方向に案内する必要がなく水平方向に移送することができる受入移送範囲５０Ａのみによって構成されている。
【００３８】
また、本実施例の開口案内部３５は単一の全面開口断面を有する構成であるが、本発明の基本的な技術思想は、少なくとも開口案内部３５の中央部に仕切り部材を存在させないことであるから、それ以外の場所であって茶枝葉Ａの移送作用に支承が生じない範囲で補強等のための部材が仕切り状に存在しているものであってもよい。
【図面の簡単な説明】
【００３９】
【図１】コンテナ式の収容部を具えた茶畝跨走型茶刈装置と、その案内ダクトを示す説明図である。
【図２】同上装置の案内ダクトと茶刈機ユニットとの関係を示す斜視図である。
【図３】同上装置の案内ダクトの組立後の正面図である。
【図４】同上装置の案内ダクト内の茶枝葉の移送状態を示す平面図である。
【図５】荷台に収容袋を具えた茶畝跨走型茶刈装置と、その案内ダクトを示す説明図である。
【図６】従来の開口案内部と案内ダクトを示す説明図と、その案内ダクト内の茶枝葉の移送状態を示す説明図である。
【符号の説明】
【００４０】
１          茶畝跨走型茶刈装置
２          走行機ユニット
３          茶刈機ユニット
４          収容ユニット
５          案内ダクト
２０        フレーム
２０Ａ      脚部フレーム
２０Ｂ      上部フレーム
２０Ｃ      昇降フレーム
２１        走行装置
２２        原動機
２３        送風機
２４        送風ダクト
２５        操縦席
２６        コントロールボックス
３０        機枠部
３０ａ      上部フレーム
３０ｂ      側板
３０ｃ      刈刃支持フレーム
３１        刈刃
３１ａ      往復駆動部
３２        送風管
３２ａ      分岐ノズル
３３        案内板
３４        上面板
３５        開口案内部
４１        コンテナ
４２        ガイド体
５０Ａ      受入移送範囲
５０Ｂ      上昇移送範囲
５１        底板
５２        側板
５３        上面板
５４        保守用ハッチ
５５        受入口
５７        周側板
５８        分岐部
１００      支持部材
１００ａ    払い板
１００ｂ    払い板駆動部
１００ｃ    仕切板
１０１      茶畝跨走型茶刈装置
１０３      茶刈機ユニット
１０４      収容ユニット
１０５      案内ダクト
１２３      送風機
１３０      機枠部
１３０ａ    上部フレーム
１３０ｃ    刈刃支持フレーム
１３１      刈刃
１３１ａ    往復駆動部
１３２      送風管
１３２ａ    分岐ノズル
Ａ          茶枝葉
Ａ′        摘採茶葉
ａ′        損傷した茶枝葉
Ｓ          収容袋
Ｔ          茶畝
Ｗ          移送風
【図１】
2005245212.tif 000003
【図２】
2005245212.tif 000004
【図３】
2005245212.tif 000005
【図４】
2005245212.tif 000006
【図５】
2005245212.tif 000007
【図６】
2005245212.tif 000008